(57)【要約】      （修正有）【課題】ペット等動物の抜け毛を吸い込み続けられる電気掃除機用吸い込み具を提供する。【解決手段】ブラシ体とホース取付口支持具２の背面に電気掃除機ホースに接続できる吸い込みホース取付部３を設け、正面の吸込み口４周囲に傾斜したブラシ体１を配置した構造とすることで、電気掃除機の吸引による気流がブラシ体１の間をすり抜けるときにブラシ体１にまとわりついた毛が吸引気流の影響を受け、吸込み口４に対して傾斜したブラシ体１に沿って浮き上がり、ブラシ体１より滑ることにより毛がはずれ吸引されるので、抜け毛がブラシ体にまとわりつかず、抜け毛除去の連続作業が可能になる。【選択図】図１
2018075328.tif 000002
【特許請求の範囲】
【請求項１】
吸い込み具本体背面に電気掃除機本体から伸びるホース吸込み取りつけ部を有し、吸い込み具正面部に先端方向が吸込み口方向に傾斜したブラシ体を配置することを特徴とする電気掃除機用吸い込み具。
【請求項２】
吸い込み具本体が円筒状で片側にホース取りつけ部を有し、もう一方は閉じられた形状であり、円筒表面に吸込み口を有することを特徴とする請求項１に記載の電気掃除機用吸い込み具。
【請求項３】
電気掃除機につながるホースからの吸い込み気流拡散防止カバー内に回転円柱ブラシ支持体に傾斜したブラシ体を配置した請求項１に記載の電気掃除機用吸い込み具。
【発明の詳細な説明】
【技術分野】
【０００１】電気掃除機用吸い込み具に関する。
【背景技術】
【０００２】従来から吸い込みブラシと電気掃除機を組み合わせた毛を除去する電気掃除機用吸い込み具はあった。しかし表面に浮き上がった毛に対しては吸い込みが有効ではあったが、ブラシでかきわけブラシ周りに絡みついた毛に対しては吸い込み効果が薄く、次第にブラシ全体を覆うほど毛がまとわりつき、吸込み口をふさぎ出すなど作業中にブラシ周りの毛を除去する作業が必要であり非常に手間がかかっていた。
【先行技術文献】
【０００３】
【特許文献１】特開２００７−２９６２０６
【特許文献２】特開２０１１−１３０７５２
【発明の概要】
【発明が解決する課題】
【０００４】かき分けた抜け毛がブラシ体にまとわりつかず、作業効率を落とさないため、連続作業が可能になり短時間で作業が終えることができることと、ブラシ体にまとわりついた毛を取り清掃する作業が必要なくなり作業効率の提供と煩わしさを解決することを特徴とした抜け毛を吸い込み続けられる電気掃除機用吸い込み具の提供。
【課題を解決するための手段】
【０００５】電気掃除機吸込み口周囲に配置したブラシ体が、吸込み口に対して先端が近づく形で傾斜して配置することにより、電気掃除機の吸引による気流がブラシ体の間をすり抜けるときにブラシ体にまとわりついた毛が吸引気流の影響を受け、吸込み口に対して傾斜したブラシ体に沿って浮き上がり、ブラシ体より滑ることにより毛がはずれ吸引される。
背面に電気掃除機ホースに接続できる吸込み差し込み口を設けた電気掃除機用吸い込み具であり、正面の吸込み口周囲に傾斜ブラシ体を配置した構造である。正面の吸込み口は単数または複数あっても良い。また電気掃除機吸い込み具の表面は平面であっても曲面であってもよい。円筒形状のものに吸込み口を設けその周りにブラシ体を配置しても良い。またブラシ体は吸込み口周囲に固定されている必要はなく、ブラシ体が吸込み口正面上に支持具にて回転する円柱に配置された物でもよい。
【発明の効果】
【０００６】電気掃除機を動作させず本吸い込み具を使いブラッシングした場合にはブラシ体に毛が多量にまとわりつき、短時間の間に抜け毛除去の効果が見られなくなってしまった。電気掃除機を動作させ吸引を開始したところ２０分以上にわたりブラシに抜け毛が絡みつくことなく、周囲にも抜け毛が浮遊することなく効果が実証された。
【図面の簡単な説明】
【０００７】
【図１】本発明の実施形態である吸い込み具の斜視図である。
【図２】図１に示す吸い込み具の背面からの斜視図である。
【図３】図１に示す吸い込み具の側面図である。
【図４】本発明の円筒状形態吸い込み具での実施図の平面図である。
【図５】図４に示す吸い込み具の斜視図である。
【図６】本発明のブラシ体が吸い込み口正面上に支持具円柱に配置された場合の実施図の斜視図である。
【図７】図６に示す吸い込み具の側断面図である。
【写真１】
本発明の実施形態である吸い込み具にホースをつけた状態の斜視写真Ａと実際使用する場合の持ち方Ｂの写真である。
【発明を実施するための形態】
【０００８】  以下、図面を参照して本発明実施の形態を説明する。
図１、図２，図３について解説する。ブラシ体とホース取付口支持具背面にホース取付部を設け、正面吸込み口周囲に先端が吸込み口に傾斜したブラシ体を配置する。電気掃除機からのホースを本電気掃除機吸い込み具ホース取付部に差し込み、吸引を始めペット等動物の抜け毛を除去する。図３下段模式図にあるようにブラシ体中にブラシ体に絡んだ抜け毛は、吸引気流によりブラシ体を滑り上がり電気掃除機に吸引される。図においてはブラシ体とホース取付口支持具背面にホース取付部を独立した部材としているが、樹脂等で一体成形しても良い。またブラシ体を柔軟な素材で作り、それぞれの根元部分が同一素材の１枚板でつながったものとして製作し、ホース取付口支持具に取り付けても良い。
写真１Ｂに示すように、ホース取付吸込み口を握るように使用するため、従来の円筒状抜け毛器具に比べ腕にかかる疲労感がすくない。写真１Ａにあるように、ブラシ体支持体周囲が食器皿のように盛り上がるものを使用する場合には、より吸引気流が絞り込まれてブラシ体根元から当たるために、高い効率が発生する。
図４、図５は円筒状抜け毛吸い込み具である。吸い込み口にブラシ体が傾斜しているために、同じく抜け毛がブラシ体にまとわりつかず効率的に抜け毛除去ができる。電気掃除機ホースと直線上につなげて使用できるため、細い形状で製作できる。小動物に使用するのに適している。
図６，図７，図８は回転円柱ブラシ支持体に傾斜したブラシ体を配置したものであり、電気掃除機からの吸い込み気流拡散防止カバー内に配置したものである。回転円筒ブラシ体は広く用いられている一般家庭用電気掃除機の絨毯掃除ブラシのように回転機構をつければ、より短時間で効率的な抜け毛除去ができる。
【符号の説明】
【０００９】  ▲１▼  ブラシ体
▲２▼  ブラシ体とホース取付口支持具
▲３▼  電気掃除機からの吸い込みホース取付部
▲４▼  吸込み口
▲５▼  電気掃除機からの吸引気流
▲６▼  絡みついた抜け毛
▲７▼  回転円柱ブラシ配置体と気流拡散防止カバーへの支持具
▲８▼  電気掃除機からの吸い込み気流拡散防止カバー
▲９▼  回転円柱ブラシ支持体
2018075328.tif 000003
【図３】
2018075328.tif 000004
【図４】
2018075328.tif 000005
【図５】
2018075328.tif 000006
【図６】
2018075328.tif 000007
【図７】
2018075328.tif 000008
【図８】
2018075328.tif 000009
【手続補正書】
【提出日】平成29年3月9日(2017.3.9)
【手続補正１】
【補正対象書類名】明細書
【補正対象項目名】０００７
【補正方法】変更
【補正の内容】
【０００７】
【図１】本発明の実施形態である吸い込み具の斜視図である。
【図２】図１に示す吸い込み具の背面からの斜視図である。
【図３】図１に示す吸い込み具の側面図である。
【図４】図１に示す吸い込み具の動作中の模式図である。
【図５】本発明の円筒状形態吸い込み具での実施図の平面図である。
【図６】図４に示す吸い込み具の斜視図である。
【図７】本発明のブラシ体が吸い込み口正面上の円柱支持具に配置された場合の実施図の斜視図である。
【図８】図７に示す吸い込み具の正面図である。
【図９】図７に示す吸い込み具の側断面図である。
【図１０】図１図２で表す吸い込み具を製作しホースをつけた状態の斜視写真のコピーである。本発明の実施形態である
【図１１】図１図２に掃除機からのホースをつけて使用する場合の持ち方写真のコピーである。
【手続補正２】
【補正対象書類名】図面
【補正対象項目名】全図
【補正方法】変更
【補正の内容】
【図１】
2018075328.tif 000010
【図２】
2018075328.tif 000011
【図３】
2018075328.tif 000012
【図４】
2018075328.tif 000013
【図５】
2018075328.tif 000014
【図６】
2018075328.tif 000015
【図７】
2018075328.tif 000016
【図８】
2018075328.tif 000017
【図９】
2018075328.tif 000018
【図１０】
2018075328.tif 000019
【図１１】
2018075328.tif 000020